(57)【要約】【課題】  測定データの中から所望するデータを能率よく検索することができる波形測定装置を提供する。【解決手段】  波形データからなる測定データをデータ記憶部５に記憶しておき、測定データの特徴を表わすイベント条件をキー入力部４より入力すると、コントロール部１のイベント情報設定手段１２により測定データとイベント条件を比較し、この比較結果からイベント情報を生成し、このイベント情報をイベント条件に合致する測定データに対応させて設定することで、その後、イベント情報に基づいて測定データの検索を可能にする。【選択図】      図１
2005062102.tif 000002
【特許請求の範囲】
【請求項１】
波形データからなる入力データを記憶する記憶手段と、
前記入力データの特徴を表わすイベント条件を入力する入力手段と、
前記入力データと前記イベント条件を比較し、この比較結果からイベント情報を生成し、該イベント情報を前記イベント条件に合致する入力データに対応させて設定するイベント情報設定手段と
を具備し、
前記イベント情報設定手段で設定されたイベント情報に基づいて前記入力データを検索可能にしたことを特徴とする波形測定装置。
【請求項２】
前記記憶手段は、前記入力データを記憶する領域と、前記入力データと対応関係を持って設定されるイベント情報を記憶する領域を有することを特徴とする請求項１記載の波形測定装置。
【請求項３】
前記イベント情報は、前記イベント条件の内容に応じて視覚情報を変化可能にしていることを特徴とする請求項１又は２に記載の波形測定装置。
【請求項４】
前記イベント情報は、前記入力データの時間軸に沿って、前記イベント条件に合致する入力データに対応して設定されることを特徴とする請求項１乃至３のいずれかに記載の波形測定装置。
【請求項５】
前記イベント情報が設定される近傍の入力データを重ね書きして表示手段に表示することを特徴とする請求項１乃至３のいずれかに記載の波形測定装置。
【発明の詳細な説明】
【技術分野】
【０００１】
本発明は、測定波形のデジタルデータを保存し、表示するような波形測定装置に係り、特に、保存された測定データの中から所望するデータを検索するデータ検索機能を備えた波形測定装置に関するものである。
【背景技術】
【０００２】
従来、波形測定装置において、保存された測定波形などのデータの中から所望するデータを検索する方法として、測定時のトリガ位置や時問軸上のデータ位置に基づいて検索を行なう方法や、別の方法として、表示波形をスクロールさせて(ロールモード)、ユーザが見たい波形を目視により検索（確認）する方法などが知られている。
【０００３】
しかし、測定時のトリガ位置や時問軸上のデータ位置に基づいて検索を行なう方法では、測定波形を表示する起点となるデータ位置しか検索できなかったり、データの時刻情報を別に必要とするなど、使い勝手が悪く、所望のデータを簡単に検索できないという問題があった。
【０００４】
また、表示をスクロールさせてデータを目視により検索する方法は、測定データ量が膨大になると検索に多大な手間と時間がかかるという間題があった。
【０００５】
そこで、特許文献１に開示されるように測定データの時間軸の任意の位置にイベントデータを入力し、このイベントデータを測定データと対応させて保存しておき、この保存されたイベントデータに基づいて保存された測定データを検索するようにしたものが考えられている。
【特許文献１】特開２００２−３５０１９５号公報
【発明の開示】
【発明が解決しようとする課題】
【０００６】
ところが、特許文献１に開示されるものは、全ての測定データを確認しながら任意の位置にイベントデータを入力するようになるので、イベントデータの入力に多大な手間と時間がかかってしまい、能率のよい測定データの検索ができないという問題があった。
【０００７】
本発明は上記事情に鑑みてなされたもので、測定データの中から所望するデータを能率よく検索することができる波形測定装置を提供することを目的とする。
【課題を解決するための手段】
【０００８】
請求項１記載の発明は、波形データからなる入力データを記憶する記憶手段と、前記入力データの特徴を表わすイベント条件を入力する入力手段と、前記入力データと前記イベント条件を比較し、この比較結果からイベント情報を生成し、該イベント情報を前記イベント条件に合致する入力データに対応させて設定するイベント情報設定手段とを具備し、前記イベント情報設定手段で設定されたイベント情報に基づいて前記入力データを検索可能にしたことを特徴としている。
【０００９】
請求項２記載の発明は、請求項１記載の発明において、前記記憶手段は、前記入力データを記憶する領域と、前記入力データと対応関係を持って設定されるイベント情報を記憶する領域を有することを特徴としている。
【００１０】
請求項３記載の発明は、請求項１又は２記載の発明において、前記イベント情報は、前記イベント条件の内容に応じて視覚情報を変化可能にしていることを特徴としている。
【００１１】
請求項４記載の発明は、請求項１乃至３のいずれかに記載の発明において、前記イベント情報は、前記入力データの時間軸上に、前記イベント条件に合致する入力データに対応して設定されることを特徴としている。
【００１２】
請求項５記載の発明は、請求項１乃至３のいずれかに記載の発明において、前記イベント情報が設定される近傍の入力データを重ね書きして表示手段に表示することを特徴としている。
【発明の効果】
【００１３】
本発明によれば、入力データに対し、検索したい入力データの特徴を表わすイベント条件を設定することで、イベント条件に合致する入力データに対応させてイベント情報を設定することができるので、その後は、イベント情報を指定するのみで、対応する入力データを速やかに検索することができ、所望するデータの検索能率を大幅に高めることができる。
【００１４】
また、本発明によれば、入力データとイベント情報を対応関係を持たせて同じデータ記憶手段の領域に記憶しているので、イベント情報を指定するのみで、イベント情報に対応する測定データを速やかに読み出すことができる。
【００１５】
さらに、本発明によれば、イベント条件の内容に応じてイベントマーカの形状や色などの視覚情報を変化させることができるので、イベント条件のカテゴリに応じた種類分けが可能となり、ユーザに対して視認性にすぐれだマーカを提供できる。
【００１６】
さらにまた、本発明によれば、イベント情報が設定される近傍の入力データを重ね書きして表示させることにより、測定データの解析に有用な情報を得ることができる。
【発明を実施するための最良の形態】
【００１７】
以下、本発明の一実施例を図面に従い説明する。
【００１８】
図１は、本発明が適用される波形測定装置の概略構成を示している。図において、１は装置全体の制御を行なうコントロール部で、このコントロール部１には、イベント条件保存手段１１とイベント情報設定手段１２が設けられている。イベント条件保存手段１１は、外部より自動又は手動により入力されるイベント条件を一時保存するものである。イベント情報設定手段１２は、測定データとイベント条件を比較し、この比較結果からイベント情報としてイベントマーカを生成し、このイベントマーカをイベント条件に合致した測定データに対応させて設定するものである。
【００１９】
コントロール部１には、入力データ２として、波形データからなる測定データが与えられている。また、コントロール部１には、動作プログラムや各種のデータを格納するＲＯＭ／ＲＡＭ３、各種操作を受け付ける入力手段としてのキー入力部４、記憶手段としてのデータ記憶部５および測定データ波形やイベント条件などを表示する表示手段としての表示部６が接続されている。ここで、データ記憶部５は、入力データ２として与えられる測定データを記憶する領域５１と、測定データと対応して設定されるイベントマーカを記憶する領域５２を有している。
【００２０】
次に、このように構成された実施例の動作を説明する。
【００２１】
いま、入力データ２として測定データが入力されると、コントロール部１によりデータ記憶部５の領域５１に格納される。また、データ記憶部５に格納される測定データは、コントロール部１によって表示データに変換され、表示部６に表示される。
【００２２】
次に、イベント条件を入力して所望する測定データを検索する場合を説明する。
【００２３】
この場合、測定データの検索、再表示を指示すると、図２に示すフローチャートが実行される。まず、キー入力部４からイベント条件を入力する（ステップＳ１）。ここでのイベント条件は、測定データの中から検索したい測定データの特徴を表わすものである。
【００２４】
イベント条件は、コントロール部１の内部に用意されているイベント条件保存手段１１に記憶される。
【００２５】
次に、キー入力部４から検索要求を入力すると、コントロール部1のイベント情報設定手段１２は、イベント条件を用いて対応する測定データの検索を行う。この場合、測定データと、測定データの特徴を表わすイベント条件を比較する（ステップＳ２）。
【００２６】
これらの比較の結果、イベント条件に合致する測定データが見つかると、イベント情報として、例えば、所定の形状をしたイベントマーカを生成し、このイベントマーカを測定データのイベント条件に合致した箇所に設定する。
【００２７】
そして、これら検索された測定データは、イベントマーカとともに、コントロール部１を介して表示部６に所定の様式で表示される（ステップＳ３）。
【００２８】
また、イベント情報設定手段１２で設定されたイベントマーカは、測定データに対応させてデータ記憶部５の領域５２に記憶される。つまり、これら測定データとイベントマーカは、対応関係を持ってデータ記憶部５の領域５１，５２に記憶される。
【００２９】
図３は、これらの動作を、さらに具体的に説明するたためのもので、例えば、入力データ２として、図３（ａ）に示すような測定データＤに対して、同図（ｂ）に示すような測定データの特徴を表わすイベント条件Ａが入力されたとすると、これら測定データＤとイベント条件Ａの比較の結果から、同図（ｃ）に示すように測定データＤの時間軸上に沿ってイベント条件に合致する測定データＤに対するイベントマーカＭが設定され、これら測定データＤとイベントマーカＭがコントロール部１を介して表示部６に所定の様式で表示され、同時に、データ記憶部５に記憶される。
【００３０】
その後、イベント条件の再入力の有無が判断され（ステップＳ４）、イベント条件の再入力が有ると判断すると、ステップＳ２に戻って、上述したと同様な動作を実行し、また、
イベント条件の再入力が無いと判断すると、処理を終了する。
【００３１】
この場合、イベント条件の再入力により、異なる内容のイベント条件が与えられた場合は、このときのイベント条件の内容に応じてイベントマーカの形状や色などの視覚情報を変化させるようにすることも可能である。こうすることで、イベント条件のカテゴリに応じた種類分けが可能となり、ユーザに対して視認性にすぐれだマーカを提供できる。
【００３２】
このようにして測定データとイベントマーカの保存が完了した後は、ユーザが、キー入力部４からイベントマーカをイベント情報として指定すれば、コントロール部１によりデータ記憶部５中よりイベント情報に対応している測定データが検索され、波形データとして表示部６に表示される。
【００３３】
従って、このようにすれば、入力データとして記憶された測定データに対し、検索したい測定データの特徴を表わすイベント条件を入力し、イベント条件に合致した測定データが見つかると、この測定データのイベント条件に合致した箇所に、イベント情報として、イベントマーカを設定するようにしたので、その後は、イベント情報（イベントマーカ）を指定するのみで、対応する測定データを速やかに検索することができ、所望するデータの検索能率を大幅に高めることができる。
【００３４】
また、イベント条件を自動的または手動により入力するのみで、測定データの時間軸に沿ってイベント情報（イベントマーカ）を自動的に設定する機能を有しているので、所望するイベント情報（イベントマーカ）を能率的に設定することができ、さらに能率のよいデータ検索を実現することができる。
【００３５】
さらに、測定データの時間軸上に設定されるイベント情報（イベントマーカ）は、データ記憶部５の測定データの記憶される領域５１に対し、測定データと対応関係を持たせて同じデータ記憶部５の領域５２に記憶されるので、イベント情報（イベントマーカ）を指定するのみで、このイベント情報（イベントマーカ）に対応する測定データを速やかに読み出すことができる。
【００３６】
なお、本発明は、上記実施の形態に限定されるものでなく、実施段階では、その要旨を変更しない範囲で種々変形することが可能である。例えば、上述した実施例では、データ記憶部５に記憶した全ての測定データに対して、イベント情報のイベントマーカを一意的に対応させて記憶するようにしたが、例えば、図４に示すようにイベントマーカＭとともに、イベントマーカＭが付加される近傍の測定データＤのみを記憶するようにしてもよい。この場合は、測定データの時間軸の情報も一緒に記憶する必要が有る。このようにすれば、データ記憶部５の記憶領域を有効に使用できるので、多くの結果を収集することができる。また、図５に示すようにイベントマーカＭが設定される近傍の測定データＤを重ね書きして表示部６に表示させるようにしてもよい。このようにすれば、例えば各イベントマーカ間の比較など測定データの解析に有用な情報を得ることができる。さらに、表示部６の表示に、イベント条件の一覧表を付加することも可能である。
【００３７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００３８】
【図１】本発明の一実施例の波形測定装置の概略構成を示す図。
【図２】一実施例の動作を説明するためのフローチャート。
【図３】一実施例の動作をさらに具体的に説明するための図。
【図４】一実施例の変形例を説明するための図。
【図５】一実施例の他の変形例を説明するための図。
【符号の説明】
【００３９】
１…コントロール部
１１…イベント条件保存手段
１２…イベント情報設定手段
２…入力データ
３…ＲＡＭ
４…キー入力部
５…データ記憶部
５１．５２…領域
６…表示部
【図１】
2005062102.tif 000003
【図２】
2005062102.tif 000004
【図３】
2005062102.tif 000005
【図４】
2005062102.tif 000006
【図５】
2005062102.tif 000007